(57)【要約】【課題】  従来の携帯用画架は、持ち歩くにはかさ高く、不便な点があり、コンパクトな画架が望まれている。【解決手段】  本発明は、画架本体である枠体１、２が、軸７を介して、使用時にはＸ字状に、収納時にはＩ字状に可動するように配設し、前記枠体のそれぞれの一端部に、枠体を支える脚３、４を取りつけ、枠体のそれぞれの他端部には、スケッチブックを載せる平板状の２つの受台８、９が回動自在に装着されている。つぎに、画架使用時には、２つの前記受台を回動して、略同一平面状になるようにし、この状態を中継ぎ部材により一体化するようにしている。また、収納時には、軸７を中心に枠体を２つの受台の間に収納できるように畳み、受台が、これらを挟むように重ね、コンパクトにすることにより持ち易くしている。【選択図】図１
2010119820.tif 000002
【特許請求の範囲】
【請求項１】
画架本体である枠体１、２が正面より見て、たがいに、軸７を介して、画架使用時にはＸ字状に、収納時にはＩ字状に可動するように配設し、前記枠体のそれぞれの一端部に、枠体を支える脚３、４を取りつけ、前記枠体のそれぞれの他端部には、平板状の２つの受台８、９が回動自在に装着され、画架使用時には、２つの前記受台を回動して、略同一平面状とし、この状態を一体化する中継ぎ部材を設け、収納時には、前記軸を中心に前記枠体を２つの前記受台の間に収納できるように畳んだことを特徴とする携帯用画架。
【請求項２】
画架使用時に２つの受台８、９の下面にそれぞれ設けた保持具１２、１３に、前記中継ぎ部材である棒状体１６を挿入して、前記受台を略同一平面状になるように一体化し、かつ、収納時は、前記枠体１、２を畳み、これを挟むように、前記受台の保持具に前記棒状体を挿入し収納すると共に、この棒状体によって前記受台を固定することを特徴とする請求項１記載の携帯用画架。
【請求項３】
画架使用時に、２つの受台８、９を略同一平面状になるよう一体化する中継ぎ部材は、内部にみぞ部１８ａを設けたコ字形部材１８に構成し、収納時には、このコ字形部材で折り畳んだ２つの前記受台の端部を挟むと共に、前記みぞ部には、一方の受台の端部をはめ込んで、２つの受台を折り畳んだ状態で保持することを特徴とする請求項１記載の携帯用画架。
【請求項４】
前記一方の枠体１にとりつけた脚３を、収納時に、前記枠体に設けた空間１ａ、２ａに収納することを特徴とする請求項１記載の携帯用画架。
【請求項５】
略同一平面にした平板状の２つの受台のうち、一方の受台を、前記枠体の一端が取りつけられる基部と背部に分け、この背部を前記基部に回動自在に装着するとともに、前記背部を所定の角度に支持する支持具を備したことを特徴とする請求項１記載の携帯用画架。
【発明の詳細な説明】
【技術分野】
【０００１】  本発明は、携帯するために、小形軽量、かつ、持ち運び易い携帯用画架に関するものである。
【背景技術】
【０００２】  従来は、野外スケッチの場合、スケッチブック、キヤンバスなどを携帯画架に載せて描くほか、これらを手で持ったり、地面に置いて描いていた。
【発明の開示】
【発明が解決しようとする課題】
【０００３】  従来の携帯用画架は大きいスケッチブック、キヤンバスを載せる受台の面積が、画架収納時においても変らず、そのまゝではかさ高い。えのぐなど他の画材などと共に持ち歩くには不便を感じる場合がある。
本発明は、これらの問題点を解決しようとするものである。
【課題を解決するための手段】
【０００４】  本発明は、上記目的を達成するためのコンパクトな持ち易い携帯用画架を実現しようとするものである。
本発明の第１の課題解決手段は、画架本体である２つの枠体が正面より見て、たがいに、軸を介して、画架使用時にはＸ字状に、収納時にはＩ字状に可動するように配設し、前記枠体のそれぞれの一端部に、枠体を支える脚をとりつけ、前記枠体のそれぞれの他端部には、平板状の２つの受台が、回動自在に装着され、画架使用時には、２つの前記受台を回動して、略同一平面状とし、この状態を一体化する中継ぎ部材を設け、画架収納時には、前記軸を中心に前記枠体を２つの受台の間に収納出来るように畳んだ構成になっている。【０００５】  つぎに、第２課題解決手段は、画架使用時に、２つの受台の下面にそれぞれ設けた保持具に、前記中継ぎ部材である棒状体を挿入して、前記受台を、略同一平面状になるように一体化し、かつ、収納時には、前記枠体を畳み、これを挟むように前記受台の保持具に前記棒状体を挿入し収納すると共に、この棒状体によって、前記受台を固定する構成である。【０００６】  つぎに第３の課題解決手段は、画架使用時に、２つの受台を同一平面になるよう一体化する中継ぎ部材は、内部にみぞ部を設けたコ字形部材に構成し、収納時には、このコ字形部材で折り畳んだ２つの前記受台の端部を挟むと共に、みぞ部には一方の受台の端部をはめ込んで、２つの受台を折り畳んだ状態で保持する構成である。【０００７】  つぎに第４の課題解決手段は、前記一方の枠体にとりつけた脚を、収納時に、２つの枠体に設けた空間に収納するように構成している。【０００８】  つぎに第５の課題解決手段は、略同一平面にした平板状の２つの受台のうち、一方の受台を、前記枠体の一端が取付けられる基部と背部に分け、この背部を基部に回動自在に装着すると共に、背部を所定の角度に支持する支持具を備した構成である。【０００９】  つぎに、上記第１の課題解決手段による作用は、つぎの通りである。本発明の携帯用画架は、前述のごとく、スケッチブックを載せる受台は、持運び易くするためコンパクト（後述）に、２つに分けて収納しているが、画架使用時には、受台は面積が大きい程大きなスケッチブックを載せることが出来有利である。したがって、本携帯用画架は、枠体をＸ字状に可動するように配設し、それぞれの枠体の端部に平板状の２つの前記受台を回動自在に装着すると共に、２つの受台が所定の間隔を有するように枠体をＸ字状に可動させ、かつ、略同一平面状にして、この状態を中継ぎ部材にて一体化することができる。
なお、２つの受台が接合するように枠体を可動させ、略同一平面状に一体化することも出来る。したがって、前記面積は収納時の２倍になるばかりでなく、前記間隔によりつくられる面積が加算され、前記受台の面積は２倍以上に拡大する。
また、本発明の携帯用画架は、収納時には、前記枠体を畳み２つの前記受台の間に収納するため、持運ぶときは、受台の面積は、使用時の半分以下に縮少されコンパクトになる。また、２つの受台は凹凸の多い複雑な形状である前記枠体を挟むようにして、これを保護している。【００１０】  また、上記第２および第３の課題解決による作用はつぎの通りである。画架使用時に、２つの受台を略同一平面に一体化するため中継ぎ部材としての棒状体、または、コ字形部材を使用するが、収納時においても、これら中継ぎ部材にて折り畳んだ前記受台を固定することで画架を収納することが出来る。【００１１】  つぎに、上記第４の課題解決手段による作用は、枠体にとりつけた脚を枠体自体の空間に収納するためコンパクトになる。【００１２】  つぎに、上記第５の課題解決手段による作用は、つぎの通りである。本発明の携帯用画架は、２つの前記受台を略同一平面に一体化し使用するが、一方の受台を、前記枠体をとりつける基部と背部に分け、背部を回動すると共に、所定の角度に支持具によって支持、これにスケッチブック、キヤンバスを立て置きすることが出来る。
【発明の効果】
【００１３】  上述のように、本発明の携帯用画架は、使用時には、より大きいスケッチブックを載せることが出来、また、収納時持運ぶとき、受台は平板状で、２つに折り畳むため、コンパクトに持運ぶことが出来る効果がある。【００１４】  つぎに、絵を描くため、２つの受台を同一平面に一体化する中継ぎ部材を、収納時に利用して、受台を固定することができる。【００１５】  つぎに、脚を枠体の空間に収納しているので、収納時に画架全体の厚みが薄くなる効果がある。【００１６】  なお、本発明の携帯用画架は、ほかに、一方の受台を立てゝ、これにスケッチブック、キヤンバスを置き描くことができる。この場合、他の受台にえのぐなど他の画材を置くことができ、これらが手近で使い易くなる効果がある。
【発明を実施するための最良の形態】
【００１７】  以下、本発明の実施の形態を図１〜図１０に基いて説明する（本発明の実施例は、右側面より見て対称であり、説明は対称の一方のみにて行い他の一方は略す。）【００１８】  図において、１、２は画架本体である枠体で、一端部に脚３、４をとりつけ締付ねじ５、６にて締め付けられている。
１ａ、２ａは枠体１、２に設けた空間である。
７は軸で、枠体１、２の可動の中心である。
８、９はスケッチブックを載せる受台で、前記枠体のそれぞれの他端部にピン１０、１１により回動自在に装着されている。
１２、１３は保持具で、受台８、９の下面に取りつけられている。
１４、１５は締付ねじである。
１６は中継ぎ部材である棒状体である。
１８は中継ぎ部材であるコ字形部材で、内部にみぞ１８ａを設けている。
１９、２０は締付ねじである。【００１９】  つぎに、２つの前記受台８、９の一方の受台９を基部９ｃと背部９ｄに分けている。
２１はピンである。
２２は支持具で、締付ねじ２３にて長さを調整締付けている。
２４はピンで、支持具２２の一端を回動自在にして保持している。
２５は枠体２に設けた受止部で支持具２２を受けている。【００２０】  つぎに、上記構成の動作を説明する。
脚により支持された画架本体である枠体１、２を正面より見て、たがいに、画架使用時にはＸ字状に、収納時にはＩ字状に可動するように配設している。
つぎに、前記枠体のそれぞれの一端部に枠体を支える脚３、４を取りつけ、枠体のそれぞれの他端部には、平板状の受台８、９がピン１０、１１により回動自在に装着する。なお、ピンの代りにボールジョイント状（図示なし）のものを使用することも出来る。【００２１】  つぎに、画架使用時には、前記ピンを中心に２つの前記受台を回動し、そして枠体をＸ字状に可動、受台の端部８ａ、９ａを所定の間隔（最大３０ｃｍ図２参照）を有し、かつ、略同一平面状にし、この状態を２つの受台の下面にとりつけた保持具１２、１３に中継ぎ部材である棒状体１６を挿入して一体化し、締付ねじ１４、１５にて締付ける。
なお、このほか、前記受台の端部８ａ、９ａを接合した状態で、前記保持具に棒状体１６を挿入して受台を一体化（図３参照）することができる。
つぎに、前記枠体を支える脚３、４により受台の高さを調整し、スケッチブック１７を載せる。【００２２】  つぎに、画架を収納するときは、前記枠体を、２つの前記受台の間に収納できるように畳み、受台をこれを挟むように重ねる。しかし、この状態では、２つの受台は中振りの状態であり、前記棒状体を受台の保持具１２、１３に挿入、２つの前記受台を折り畳んだ状態で固定することが出来る。【００２３】  なお、前記中継ぎ部材としては、棒状体１６のほか、コ字形部材の１８の内部に、みぞ部１８ａを設けたもので構成することができる。【００２４】  すなわち、画架使用時には、２つの受台８、９を所定の間隔を有し、略同一平面とし、この状態に、前記コ字形部材１８のみぞ部１８ａを、前記受台のそれぞれの端部８ｂ、９ｂにはめ込み、締付ねじ１９、２０にてこれを締め付け一体化することができる。【００２５】  また、画架収納時においては、前記コ字形部材１８で、折り畳んだ２つの前記受台の端部８ｂ、９ｂを挟むとゝもに、みぞ部１８ａには、一方の受台８の端部８ｂをはめ込んで締付ねじ１９、２０にて締め、２つの受台を折り畳んだ状態で保持することができる。【００２６】  つぎに、一方の枠体１にとりつけた脚３を、枠体に設けた空間１ａ、２ａに、また、他の枠体２にとりつけた脚４とゝもに収納する。【００２７】  なお、本発明は、２つの前記受台を略同一平面に一体化して使用するが、このほか、どちらか一方の受台９を基部９ｃと背部９ｄに分け、背部をピン２１を中心に回動するとゝもに、背部の下面に設けたピン２４を中心に回動する伸縮自在の支持具２２を、枠体２に設けた受止部２５との間に備え、これの長さを締付ねじ２３で調整することにより、前記背部を所定の角度に支持し、これにスケッチブック、キヤンバスなどを立て置くことができる。
【図面の簡単な説明】
【００２８】
【図１】本発明の実施形態を示す携帯用画架の斜視図
【図２】同携帯用画架の使用時を示す正面図
【図３】同携帯用画架の受台の使用状態を示す正面図
【図４】同携帯用画架の右側面図
【図５】同携帯用画架の中継ぎ部材の使用時を示す部分斜視図
【図６】同携帯用画架の中継ぎ部材の収納時を示す部分斜視図
【図７】同携帯用画架の収納時を示す正面図
【図８】同携帯用画架の図７におけるＡ−Ａ線断面図
【図９】同携帯用画架の斜視図
【図１０】同携帯用画架の部分斜視図
【符号の説明】
【００２９】１、２      枠体
１ａ、２ａ  空間
３、４      脚
５、６      締付ねじ
７          軸
８、９      受台
８ａ、９ａ  端部
８ｂ、９ｂ  端部
９ｃ        基部
９ｄ        背部
１０、１１  ピン
１２、１３  保持具
１４、１５  締付ねじ
１６        棒状体
１７        スケッチブック
１８        コ字形部材
１８ａ      みぞ部
１９、２０  締付ねじ
２１        ピン
２２        支持具
２３        締付ねじ
２４        ピン
２５        受止部
【図１】
2010119820.tif 000003
【図２】
2010119820.tif 000004
【図３】
2010119820.tif 000005
【図４】
2010119820.tif 000006
【図５】
2010119820.tif 000007
【図６】
2010119820.tif 000008
【図７】
2010119820.tif 000009
【図８】
2010119820.tif 000010
【図９】
2010119820.tif 000011
【図１０】
2010119820.tif 000012